(57)【要約】【課題】  カートリッジから流動性物質を吐出させるための吐出ガンのレバーを戻したときに、流動性物質の吐出が直ちに終了するカートリッジを提供する。【解決手段】吐出ガン用カートリッジの筒部２を膜状体によって構成する。筒部２の基端部内周面にプランジャ５の環状部５ａを摺動可能に嵌合させる。環状部５ａの先端部内周面には突出部５ｃを形成する。この突出部５ｃの先端面には、膜状体からなる遮蔽部５ｄの周縁部を固着する。遮蔽部５ｄの突出部５ｃより内側の部分は、後方に向かって球形に膨出して張った状態と、前方に向かって球形に膨出して張った状態とに切り換わることができるよう、弛んだ状態の弛み部とする。【選択図】図５
2008136899.tif 000002
【特許請求の範囲】
【請求項１】
両端が開口した筒部と、吐出口を有し、上記筒部の先端開口部を閉じる蓋部と、上記筒部の基端部外周面に設けられた係合部と、上記筒部の内周に摺動可能に設けられたプランジャとを備え、上記蓋部と上記プランジャとの間の上記筒部内に流動性物質を収容する吐出ガン用カートリッジにおいて、
上記プランジャが上記筒部の内周に摺動可能に嵌合された所定の強度を有する環状部と、この環状部を閉じる遮蔽部とを有し、
上記遮蔽部が膜体からなり、上記遮蔽部の周縁部が上記環状部に固着された固着部とされ、上記遮蔽部の上記固着部より内側の部分が、上記環状部の軸線方向へ移動することができるように弛んだ弛み部とされていることを特徴とする吐出ガン用カートリッジ。
【請求項２】
上記遮蔽部の固着部が上記環状部の先端面に固着されていることを特徴とする請求項１に記載の吐出ガン用カートリッジ。
【請求項３】
ガン本体に、ガイド筒、ロッド、及びレバーが設けられ、上記レバーが引き操作されると、上記ロッドが前進してその先端部に設けられたピストンが上記ガイド筒内をその基端側から先端側へ移動し、レバーが戻されると、上記ロッド及び上記ピストンが所定距離だけ戻される吐出ガンと、
両端が開口した筒部、吐出口を有し、かつ上記筒部の先端開口部を閉じる蓋部、上記筒部の基端部外周面に設けられた係合部、及び上記筒部の内周面に摺動可能に設けられたプランジャを有し、上記蓋部と上記プランジャとの間の上記筒部内に流動性物質を収容する吐出ガン用カートリッジとを備え、
上記係合部が上記ガイド筒の基端面に係合して上記カートリッジが前進することができなくなるまで上記カートリッジが上記ガイド筒内にその基端開口部から挿入され、上記プランジャが上記ピストンによって上記ガイド筒の先端側へ向かって押圧移動させられることにより、上記カートリッジの内部に収容された上記流動性物質が上記吐出口から吐出される吐出装置において、
上記プランジャが上記筒部の内周に摺動可能に嵌合された所定の強度を有する環状部と、この環状部を閉じる遮蔽部とを有し、
上記遮蔽部が膜体からなり、上記遮蔽部の周縁部が上記環状部に固着された固着部とされ、上記遮蔽部の上記固着部より内側の部分が、上記環状部の軸線方向へ移動することができるように弛んだ弛み部とされ、
上記ピストンが、その周縁部に設けられ、上記突出部に突き当たることによって上記プランジャンを前進させる当接部と、この当接部の内側に設けられ、当接部に対して前方に突出した突出部とを有し、
上記ピストンの前進時には、上記弛み部が上記突出部によって前方に移動させられ、上記ピストンの戻し時には、上記弛み部が上記カートリッジ内の圧力によって後方へ移動させられることを特徴とする吐出装置。
【発明の詳細な説明】
【技術分野】
【０００１】
この発明は、吐出ガンに用いられる吐出ガン用カートリッジ及び吐出ガンと吐出ガン用カートリッジとを備えた吐出装置に関する。
【背景技術】
【０００２】
一般に、吐出ガン用カートリッジは、下記特許文献１に記載されているように、両端が開口した筒部と、この筒部の先端開口部を閉じる蓋部と、筒部の基端部外周面に設けられた係合部と、筒部の基端部内周面に摺動可能に設けられたプランジャとを備えている。蓋部とプランジャとの間の筒部内には、接着剤や塗料等の流動性物質が収容されている。
【０００３】
また、上記カートリッジから流動性物質を吐出させるための吐出ガンは、ガン本体と、このガン本体にそれぞれ設けられたガイド筒、ロッド及びレバーを備えており、レバーを引くと、ロッドが前進してその先端部が設けられたピストンがガイド筒内を先端側へ移動し、レバーを元に戻すと、ロッド及びピストンが所定の短い距離だけ後方へ戻されるようになっている。
【０００４】
上記吐出ガンを用いてカートリッジから流動性物質を吐出させる場合には、カートリッジをガイド筒にその基端開口部から挿入し、係合部がガイド筒の基端面に突き当てる。これによって、カートリッジをガイド筒の先端側へ移動不能にする。その後、レバーを引くと、ピストンが前進し、プランジャを押して前方へ移動させる。すると、筒部内の流動性物質がプランジャによって押されて吐出口から吐出される。
【０００５】
【特許文献１】特開２００３−４０３６０号公報
【発明の開示】
【発明が解決しようとする課題】
【０００６】
上記従来のカートリッジにおいては、流動性物質の切れが悪いという問題があった。すなわち、吐出ガンのレバーを引いた後、元の位置に戻すと、ピストンが所定の距離だけ後方へ移動するから、レバーを元に戻すと同時にプランジャが停止し、流動性物質の吐出が直ちに終了するはずである。ところが、実際には、流動性がプランジャによって加圧され、その圧力によって筒部が膨張しているため、プランジャが停止すると膨張した筒部が縮小し、流動性物質がカートリッジから吐出される。したがって、レバーを元に戻しても流動性物質の吐出が直ちに終了することがなく、僅かな量ではあるが流動性物質が吐出され続けてしまうという問題があった。つまり、流動性物質の切れが悪いという問題があったのである。
【課題を解決するための手段】
【０００７】
上記の問題を解決するために、第１の発明は、両端が開口した筒部と、吐出口を有し、上記筒部の先端開口部を閉じる蓋部と、上記筒部の基端部外周面に設けられた係合部と、上記筒部の内周に摺動可能に設けられたプランジャとを備え、上記蓋部と上記プランジャとの間の上記筒部内に流動性物質を収容する吐出ガン用カートリッジにおいて、上記プランジャが上記筒部の内周に摺動可能に嵌合された所定の強度を有する環状部と、この環状部を閉じる遮蔽部とを有し、上記遮蔽部が膜体からなり、上記遮蔽部の周縁部が上記環状部に固着された固着部とされ、上記遮蔽部の上記固着部より内側の部分が、上記環状部の軸線方向へ移動することができるように弛んだ弛み部とされていることを特徴としている。
この場合、上記遮蔽部の固着部が上記環状部の先端面に固着されていることが望ましい。
また、上記の問題を解決するために、第２の発明は、ガン本体に、ガイド筒、ロッド、及びレバーが設けられ、上記レバーが引き操作されると、上記ロッドが前進してその先端部に設けられたピストンが上記ガイド筒内をその基端側から先端側へ移動し、レバーが戻されると、上記ロッド及び上記ピストンが所定距離だけ戻される吐出ガンと、両端が開口した筒部、吐出口を有し、かつ上記筒部の先端開口部を閉じる蓋部、上記筒部の基端部外周面に設けられた係合部、及び上記筒部の内周面に摺動可能に設けられたプランジャを有し、上記蓋部と上記プランジャとの間の上記筒部内に流動性物質を収容する吐出ガン用カートリッジとを備え、上記係合部が上記ガイド筒の基端面に係合して上記カートリッジが前進することができなくなるまで上記カートリッジが上記ガイド筒内にその基端開口部から挿入され、上記プランジャが上記ピストンによって上記ガイド筒の先端側へ向かって押圧移動させられることにより、上記カートリッジの内部に収容された上記流動性物質が上記吐出口から吐出される吐出装置において、上記プランジャが上記筒部の内周に摺動可能に嵌合された所定の強度を有する環状部と、この環状部を閉じる遮蔽部とを有し、上記遮蔽部が膜体からなり、上記遮蔽部の周縁部が上記環状部に固着された固着部とされ、上記遮蔽部の上記固着部より内側の部分が、上記環状部の軸線方向へ移動することができるように弛んだ弛み部とされ、上記ピストンが、その周縁部に設けられ、上記突出部に突き当たることによって上記プランジャンを前進させる当接部と、この当接部の内側に設けられ、当接部に対して前方に突出した突出部とを有し、上記ピストンの前進時には、上記弛み部が上記突出部によって前方に移動させられ、上記ピストンの戻し時には、上記弛み部が上記カートリッジ内の圧力によって後方へ移動させられることを特徴としている。
【発明の効果】
【０００８】
上記特徴構成を有するこの発明に係るカートリッジから流動性物質を吐出させる場合には、吐出ガンのレバーを引いてピストンを前進させ、ピストンによってプランジャを前進させる。すると、カートリッジ内の流動性物質が吐出口から吐出される。レバーが元の位置に戻されると、ピストンが吐出ガンの戻し機構によって自動的に、または手動によって所定の距離だけ後方へ戻される。すると、膜体からなる遮蔽部の弛み部がピストンの戻し移動に対応して後方へ移動し、その分だけカートリッジの内部容積が増大する。その一方、ピストンが戻ると、筒部が縮径してカートリッジの内部容積が減少する。この減少分が弛み部の移動による増大分によって相殺される。したがって、ピストンを停止させると、流動性物質の吐出が直ちに停止する。
【発明を実施するための最良の形態】
【０００９】
以下、この発明を実施するための最良の形態を、図面を参照して説明する。
図１〜図６は、この発明に係る吐出ガン用カートリッジの一実施の形態を示す。このカートリッジ１は、筒部２、この筒部２の先端部に設けられた蓋部３、筒部２の基端部外周面に設けられた係合部４及び筒部２の基端部内周面に摺動自在に嵌合されたプランジャ５を備えている。
【００１０】
筒部２は、伸展性はほとんどないが柔軟性を有する膜状体によって構成されている。筒部２を構成する膜状体としては、単層の樹脂フィルムを用いてもよいが、積層フィルム、特に二つの樹脂フィルム間にアルミニウム箔が設けられた三層以上の積層フィルムを用いるのが望ましい。筒部２は、各種の方法で製造することができるが、例えば膜状体をマンドレル（図示せず）に巻回してその両端部を固着することによって製造することができる。膜状体の両端部は、互いに重ねて固着するいわゆる封筒張り状態で固着してもよく、筒部の内周面を構成する面の両端部を対向させて固着する合掌張り状態で固着してもよい。膜状体をマンドレルに巻回して筒部２を製造する場合には、筒部２をマンドレルから抜くための抜き勾配が必要であるため、筒部２は一端（以下、基端という）から他端（以下、先端という。）に向かって僅かに小径となるよう、テーパ筒状に形成される。勿論、筒部２は、他の方法で製造する場合には、全長にわたって一定の内外径を有するストレートな筒体として形成してもよい。図１２に示すように、筒部２の先端部には、前方に向かって小径になるテーパ部２ａと、このテーパ部２ａの先端部から前方に向かって延びるストレート部２ｂとが前方へ向かって順次形成されている。ストレート部２ｂは、一定の内外径を有している。
【００１１】
蓋部３は、比較的硬質の樹脂を成形してなるものであり、図４に示すように、円板状をなす基部３ａを有している。基部３ａの外周面には、筒部２のストレート部２ｂが接着や融着等の手段によって固着されている。この実施の形態では、インサート成形法により蓋部３の成形と同時にストレート部２ｂが基部３ａに固着されている。蓋部３の基部３ａに筒部２の先端部（ストレート部２ｂ）が固着されることにより、筒部２の先端部が断面円形の状態に維持されている。基部３ａの後端面にストレート部２ｂの外径と同一の内径を有する短い円筒部を形成し、この円筒部の内周面にストレート部２ｂを固着してもよい。基部３ａの後端面には、円形の凹部３ｂが形成されている。この凹部３ｂの内周面は、後方に向かって拡径するようにテーパ状をなしており、筒部２のテーパ部２ａの内周面と段差なく続くように、そのテーパ度及び寸法が設定されている。凹部３ｂの底面の中央部には、基部３ａの軸線上に中心を位置させた球面の一部からなる球形凹部３ｃが形成されている。基部３の前面中央部には、吐出口３ｄが形成されている。この吐出口３ｄの後端部は、球形凹部３ｃの中央部に開口しており、当該開口部は、樹脂フィルム等からなるシール材（図示せず）によって閉じられている。このシール材は、カートリッジ１の使用時には破断される。また、カートリッジ１の使用時には、通常、吐出口３ｄにノズル（図示せず）が装着される。
【００１２】
係合部４は、比較的硬質の樹脂を成形してなるものであり、長さが短いストレートな円筒体として形成されている。係合部４は、図５及び図６に示すように、筒部２の基端部外周面に嵌合され、接着や融着等の手段によって固着されている。これによって、筒部２の基端部が断面円形の状態に維持されている。係合部４の筒部２に対する固着は、例えばインサート成形法によって係合部４の成形と同時に行うことができる。
【００１３】
係合部４の基端部（図５及び図６において右端部）４ａは、筒部２からその軸線方向後方に突出している。この基端部４ａの外周面には、一対の係合突出部４ｂ，４ｂ及び一対のスリット４ｃ，４ｃが形成されている。一対の係合突出部４ｂ，４ｂは、係合部４の周方向へ１８０°離れて配置されている。一対のスリット４ｃ，４ｃも、係合部４の周方向へ１８０°離れて配置されている。しかも、各スリット４ｃは、係合突出部４ｂに近接して配置されている。係合部４は、スリット４ｃが形成された箇所において破断強度が低くなっており、スリット４ｃが形成された部分の外周面を所定の大きさ以上の力で内側に向かって押すと、スリット４ｃから破断する。この結果、筒部２の基端部及び係合部４を図１３に示すように押し潰すことができる。なお、係合突出部４ｃ及びスリット４ｃは、それぞれ一つだけ形成してもよく、三つ以上形成してもよい。係合部４の基端部４ａの内周面には、高さの低い一対の係止突起４ｄ，４ｄが形成されている。一対の係止突起４ｄ，４ｄは、係合部の周方向へ１８０°離れて配置されている。
【００１４】
プランジャ５は、比較的硬質の樹脂を成形してなる断面円形の環状部５ａを有している。この環状部５ａは、筒部２の基端部の内径とほぼ同等か僅かに大径になっており、筒部２の基端部内周面に摺動可能に嵌合されている。環状部５ａの基端面は、係止突起４ｄに突き当たっている。これにより、環状部５ａひいてはプランジャ５が、筒部２の基端開口部から後方へ抜け出ることが阻止されている。なお、環状部５ａは、係合部４の基端開口部から筒部２に挿入されており、挿入に際しては係合部４の基端部４ａを弾性的に拡径させながら係止突起４ｄを乗り越える。
【００１５】
環状部５ａの先端部外周面には、前方へ向かって縮径するテーパ部５ｂが形成されている。このテーパ部５ｂは、筒部２の先端部に形成されたテーパ部２ａ及び蓋部３の凹部３ａの内周面と同一のテーパ度及びほぼ同一の寸法を有している。環状部５ａの先端部内周面には、径方向内側に向かって突出する突出部５ｃが形成されている。この突出部５ｃは、環状部５ａに沿って環状に延びている。
【００１６】
突出部５ｃの先端面には、遮蔽部５ｄが固着されている。この遮蔽部５ｄによって突出部５ｃが閉じられ、ひいては環状部５ａの先端開口部が閉じられている。したがって、プランジャ５を筒部２の基端部に嵌合させると、筒部２の基端部がプランジャ５によって閉じられる。この結果、筒部２の前後の両端部が蓋部３及びプランジャ５によってそれぞれ閉じられている。そして、プランジャ５と蓋部３との間に位置する筒部２の内部に接着剤、塗料、コーキング材等の流動性物質が充填されている。
【００１７】
遮蔽部５ｄは、筒部２を構成する膜状体と同様の膜状体によって形成されている。遮蔽部５ｄは、その周縁部に形成された平面状のリング部（固着部）５ｅと、このリング部５ｅの内周部に一体に設けられた弛み部５ｆとによって構成されている。リング５ｅは、突出部５ｃの先端面に接着、その他の手段によって固着されている。弛み部５ｆは、弛んだ状態で設けられているが、例えばプランジャ５と蓋部３との間の筒部２の内部に正圧を加え、それによって弛み部５ｆを張った状態にすると、図５に示すように、弛み部５ｆは、筒部２の基端側に向かって膨出して球面状になる。この球面の中心は、環状部５ａの軸線上に位置しており、球面の曲率半径は、球形凹部３ｃを構成する球面の曲率半径とほぼ同一に設定されている。なお、カートリッジ１の使用前は、弛み部５ｆがカートリッジ１内の流動性物質によって後方に押されているので図５に示す状態になっている。プランジャ５の外部側に圧力を加えると、遮蔽部５ｄは、図５に示す状態とは逆に、つまり図１０〜図１２に示すように、筒部２の先端側に向かって球面状に膨出する。勿論、このときの球面の曲率半径も球形凹部３ｃを構成する球面の曲率半径と同一である。弛み部５ｆが筒部２の先端側に向かって球面状に棒出した状態でプランジャ５が最も前方まで移動すると、プランジャ５のテーパ部５ｂが筒部２のテーパ部２ａ及び蓋部３の凹部３ｂの内周面にほとんど隙間なく接触するとともに、遮蔽部５ｄが凹部３ｂの底面にほとんど隙間なく接触する。つまり、プランジャ５の前端部が筒部２の前端部及び蓋部３の後端部にほとんど隙間なく接触する。これにより、筒部２内に充填された流動性物質が無駄なく吐出される。
【００１８】
次に、上記構成のカートリッジ１から流動性物質を吐出させるための吐出ガンの一例について説明する。図７及び図８に示す吐出ガン１０は、ガン本体１１を有している。ガン本体１１の先端部には、ガイド筒１２が図７に示す吐出位置と図８に示す挿脱位置との間を回動可能に支持されている。このガイド筒１２は、硬質の樹脂によって成形されている。ガイド筒１２の内径は、係合部４の外径とほぼ同一に設定されており、ガイド筒１２の内部にはカートリッジ１が挿脱可能である。ガイド筒１２の基端部には、一対の第１凹部１２ａ，１２ａ及び一対の第２凹部１２ｂ，１２ｂが形成されている。第１凹部１２ａ，１２ａは、ガイド筒１２の周方向に１８０°離れて配置されており、カートリッジ１の係合部４の係合突出部４ｂ，４ｂがそれぞれ嵌り込み可能に形成されている。そして、第１凹部１２ａに係合突出部４ｂが嵌り込むことにより、カートリッジ１のガイド筒１２に対する周方向の位置決めがなされている。しかも、係合突出部４ｂが第１凹部１２ａの底面に突き当たることにより、カートリッジ１がガイド筒１２の先端側へ移動不能に係止されている。第２凹部１２ｂは、第１凹部１２ａに係合突出部４ｂが嵌り込んだとき、スリット４ｃがガイド筒１２の周方向における第２凹部１２ｂのほぼ中央部に位置するように配置されている。したがって、スリット４ｃ及びそれに近接する係合部４の外周面が第２凹部１２ｂを介して外部に露出している。
【００１９】
ガイド筒１２の後方のガン本体１１には、ロッド１３が設けられている。ロッド１３は、その軸線が吐出位置に位置しているガイド筒の軸線と一致するように配置されており、その軸線方向へ移動可能である。ロッド１３は、ガン本体１１に設けられたレバー１４を図７に示す初期位置から矢印方向へ回動させる（引く）と、ガン本体１１に設けられた前進機構（図示せず）によってレバーの回動量に応じた距離だけ前進させられる。その一方、ロッド１３は、レバー１４を矢印方向へ回動させた後、初期位置に戻すと、ガン本体１１に設けられた戻し機構（図示せず）によって所定の戻し距離だけ戻される。勿論、この戻し距離は、レバー１４の回動に伴うロッド１３の前進距離より短く設定されている。なお、前進機構及び戻し機構は、周知の構造であり、その構造自体はこの発明との関連性がない。そこで、前進機構及び戻し機構についての説明は省略する。
【００２０】
図８及び図１２に示すように、ロッド１３の先端部には、ピストン１５が設けられている。このピストン１５は、円板状をなしており、その軸線をロッド１３の軸線と一致させて設けられている。ピストン１５の基端部外周面には、径方向外側に向かって突出する環状の当接部１５ａが形成されている。この当接部１５ａの外径は、プランジャ５の環状部５ａの内径より小径で、突出部５ｃの内径より大径に設定されている。したがって、ピストン１５をカートリッジ１内にその基端開口部から挿入すると、当接部１５ａが突出部５ｃに突き当たり、プランジャ５を前進させる。
【００２１】
ピストン１５の前面には、球面の一部からなる突出部１５ｂが形成されている。突出部１５ｂを構成する球面は、その中心をピストン１５の軸線上に位置させている。球面の曲率半径は、蓋部３の球形凹部３ｃを構成する球面の曲率半径とほぼ同一に設定されている。しかも、図１０に示すように、当接部１５ａが突出部１５に突き当たると、突出部１５ｂの先端面がプランジャ５の遮蔽部５ｄを前方に押して球面の一部をなすように張った状態にする。
【００２２】
上記構成の吐出ガン１０を用いてカートリッジ１から流動性物質を吐出させる場合には、先ず図８に示すように、吐出ガン１０のガイド筒１２を挿脱位置に回動させる。そして、ガイド筒１２にその基端開口部からカートリッジ１を挿入する。勿論、カートリッジ１は、蓋部３ａから挿入され、係合突出部４ｂがガイド筒１２の第１凹部１２ａの底面に突き当たるまで挿入される。その後、ガイド筒１２を吐出位置まで回動させる。
【００２３】
次に、レバー１４を図８の矢印方向への回動操作（引き操作）と戻し操作とを繰り返すことによってロッド１３を前進させ、ピストン１５の突出部１５ｂをプランジャ５の遮蔽部５ｄに突き当て、さらに当接部１５ａを突出部５ｃに突き当てる。その結果、プランジャ５がピストン１５と一緒に前進するようになる。したがって、その後はレバー１４の回動量に対応した量の流動性物質が吐出口３ｄから吐出される。
【００２４】
レバー１４を回動操作した後、元の初期位置に戻すと、ピストン１５及びロッド１３が戻し機構によって所定距離だけ後方へ戻される。ここで、仮にレバー１４を戻したときにピストン１５が図１０に示す位置で停止しているものとすると、筒部２がそれ自体の弾性によって縮径するため、流動性物質が吐出され続けてしまう。しかるに、この発明に係るカートリッジ１から吐出ガン１０用いて流動性物質を吐出させる場合には、レバー１４が戻されると、図１１に示すように、ピストン１５が所定距離だけ後方へ戻される。すると、遮蔽部５ｄの弛み部５ｆがピストン１５に追随して後方へ移動する。その結果、カートリッジ１の内部容積が、弛み部５ｆの後方への移動分だけ大きくなる。この内部容積の増大分が、筒部２の縮径によるカートリッジ１の内部容積の減少分を相殺する。したがって、レバー１４を戻すと吐出口３ｄからの流動性物質の吐出が直ちに終了する。つまり、流動性物質の切れが向上する。
【００２５】
プランジャ５を最も前方まで移動させると、図１２に示すように、プランジャ５の前端部が蓋部３の後端部に突き当たって停止する。このとき、プランジャ５の前端部の形状、寸法が筒部２の前端部及び蓋部３の後端部の形状、寸法とほぼ同一に設定されているから、筒部２内に充填された流動性物質をほとんど余すところなく吐出させることができる。これによって、カートリッジ１からの流動性物質の吐出が完了する。
【００２６】
吐出完了後には、ガイド筒１２の第２凹部１２ｂから指を挿入して係合部４のスリット４ｃが形成された箇所を径方向内側に向かって押し、図１３に示すように係合部４を押し潰す。すると、押し潰された部分に近い一方の係合突出部４ｂがガイド筒１２の第１凹部１２ａから外れる。その後、係合部４全体を図１３の矢印方向に移動させて、他方の係合突出部４ｂも第１凹部１２ａから外す。すると、係合部４がガイド筒１２内を前方へ移動可能になり、ひいてはカートリッジ１がガイド筒１２内を前方へ移動可能になる。そこで、レバー１４によってピストン１５をさらに前進させ、蓋部３、筒部２の前端部及びプランジャ５をガイド筒１２から前方へ抜き出す。その後、蓋部３の外周面を手で持ってカートリッジ１全体をガイド筒１２から前方に抜き出す。その後、ピストン１５がガイド筒１２から後方へ抜け出て元の位置に戻るまで、ロッド１３を後方へ移動させる。ロッド１３の後方への移動は、周知のように、ガン本体１１に設けられた係止機構によるロッド１３の係止状態を解除した後、ロッド１３を手で後方へ引っ張ることによって行うことができる。
【００２７】
なお、この発明は上記の実施の形態に限定されるものでなく、その要旨を逸脱しない範囲において適宜変更可能である。
例えば、上記の実施の形態においては、弛み部５ｆの外径を突出部５ｃの内径とほぼ同一にしているが、突出部５ｃの内径より大径にしてもよい。その場合には、突出部５ｃの端面の内周側部分と対向する弛み部５ｆの外周部が、突出部５ｃに対しプランジャ５の軸線方向へ接触離間可能になる。
また、カートリッジ１から流動性物質を吐出させる際には、吐出ガン１０に代えてロッド１３の戻し機構を有していない吐出ガンを用いてもよい。その場合には、ロッド１３及びピストン１５を前進させてカートリッジ１から流動性物質を吐出させた後、直ちにロッド１３を手動で所定距離だけ後方へ移動させればよい。
【図面の簡単な説明】
【００２８】
【図１】この発明に係る吐出ガン用カートリッジの一実施の形態を示す正面図である。
【図２】同実施の形態の平面図である。
【図３】図１のＸ矢視拡大図である。
【図４】図１のＹ−Ｙ線に沿う一部省略拡大断面図である。
【図５】図３のＸ−Ｘ線に沿う拡大断面図である。
【図６】図３のＹ−Ｙ線に沿う拡大断面図である。
【図７】この発明に係るカートリッジから流動性物質を吐出させる際に用いられる吐出ガンの一例を、ガイド筒を吐出位置に位置させた状態で示す斜視図である。
【図８】同吐出ガンの一例を、ガイド筒を挿入位置に位置させた状態で示す斜視図である。
【図９】ガイド筒、それに挿入されたカートリッジ及びピストンとの関係を示す断面図である。
【図１０】カートリッジをピストンによって前進させているときの状態を示す断面図である。
【図１１】ピストンを所定距離だけ戻した状態を示す断面図である。
【図１２】カートリッジを最も前方まで移動させた状態を示す断面図である。
【図１３】カートリッジの係合部を押し潰した状態で示す図４のＸ矢視拡大図である。
【符号の説明】
【００２９】
１  カートリッジ
２  筒部
３  蓋部
３ｄ  吐出口
４  係合部
５  プランジャ
５ａ  環状部
５ｄ  遮蔽部
５ｅ  リング部（固着部）
５ｆ  弛み部
１０  吐出ガン
１１  ガン本体
１２  ガイド筒
１３  ロッド
１４  レバー
１５  ガイド筒
【図１】
2008136899.tif 000003
【図２】
2008136899.tif 000004
【図３】
2008136899.tif 000005
【図４】
2008136899.tif 000006
【図５】
2008136899.tif 000007
【図６】
2008136899.tif 000008
【図７】
2008136899.tif 000009
【図８】
2008136899.tif 000010
【図９】
2008136899.tif 000011
【図１０】
2008136899.tif 000012
【図１１】
2008136899.tif 000013
【図１２】
2008136899.tif 000014
【図１３】
2008136899.tif 000015